(57)【要約】      （修正有）【課題】本発明は、支援者が要支援者を明確に判別する判別装置を提供する。【解決手段】複数の被判別者を判別するための判別装置であって、前記被判別者に直接的若しくは間接的に設けられ夫々大きさの異なる通電部１Ａと、前記各通電部１Ａを介して通電する電極部２ａ，２ｂが設けられた敷体３と、前記電極部２ａが通電したことを報知する報知部４Ａ，前記電極部２ｂが通電したことを報知する報知部４Ｂとを有するものである。【選択図】図４
2018106314.tif 000002
【特許請求の範囲】
【請求項１】
複数の被判別者Ａ，Ｂ，・・・を判別するための判別装置であって、前記被判別者Ａ，Ｂ，・・・に直接的若しくは間接的に設けられ夫々大きさの異なる通電部１Ａ，１Ｂ，・・・と、前記各通電部１Ａ，１Ｂ，・・・を介して通電する電極部２Ａ，２Ｂ，・・・が設けられた敷体３と、前記電極部２Ａが通電したことを報知する報知部４Ａ，前記電極部２Ｂ，・・・が通電したことを報知する報知部４Ｂ，・・・とを有し、前記各電極部２Ａ，２Ｂ，・・・は、互いに異なる幅Ｗ１，Ｗ２，・・・で対設され且つ重ならないように設けられる一組の電極線材２ａ，２ｂ，・・・で構成され、更に、前記各一組の電極線材２ａ，２ｂ，・・・のうち、他よりも広い一の一組の電極線材の幅は、この一の一組の電極線材よりも幅の狭い他の一組の電極線材を介して通電する通電部では通電しない幅に設定されていることを特徴とする判別装置。
【請求項２】
請求項１記載の判別装置において、前記通電部１Ａ，１Ｂ，・・・は、前記被判別者Ａ，Ｂ，・・・が履く靴の底10ａ，10ｂ，・・・に設けられるものであることを特徴とする判別装置。
【請求項３】
第一被判別者と第二被判別者を判別する判別装置であって、前記第一被判別者に直接的若しくは間接的に設けられる大型の第一通電部と、前記第二被判別者に直接的若しくは間接的に設けられる小型の第二通電部と、前記大型の第一通電部を介して通電する第一電極部及び前記小型の第二通電部を介して通電する第二電極部が設けられた敷体と、前記第一電極部が通電したことを報知する第一報知部及び前記第二電極部が通電したことを報知する第二報知部とを有し、前記第一電極部は、前記敷体表面に幅で対設される一組の第一電極線材が複数組並設されることで構成され、また、前記第二電極部は、前記敷体表面に前記一組の第一電極線材の幅より狭い幅で対設される一組の第二電極線材が前記一組の第一電極線材と重ならないように複数組並設されることで構成され、更に、前記一組の第一電極線材の幅は、前記小型の第二通電部を介して通電しない幅に設定されていることを特徴とする判別装置。
【請求項４】
請求項３記載の判別装置において、前記大型の第一通電部及び前記小型の第二通電部は、前記第一被判別者及び前記第二被判別者が履く靴の底に設けられるものであることを特徴とする判別装置。
【請求項５】
請求項３，４いずれか１項に記載の判別装置において、前記第一電極線材及び前記第二電極線材は、前記敷体の表面に等間隔で配設されていることを特徴とする判別装置。
【請求項６】
請求項３〜５いずれか１項に記載の判別装置において、前記第一報知部及び前記第二報知部は、前記第一電極部及び前記第二電極部が通電した際、点灯するように構成されていることを特徴とする判別装置。
【請求項７】
請求項６記載の判別装置において、前記第一報知部及び前記第二報知部は、前記第一電極部及び前記第二電極部夫々に対する前記大型の第一通電部及び前記小型の第二通電部を介しての通電が解除された後も点灯が維持されるように構成されていることを特徴とする判別装置。
【請求項８】
請求項３〜７いずれか１項に記載の判別装置において、前記大型の第一通電部及び前記小型の第二通電部は、円形板状体若しくは円形環状体であることを特徴とする判別装置。
【発明の詳細な説明】
【技術分野】
【０００１】
本発明は、判別装置に関するものである。
【背景技術】
【０００２】
高齢化が進む日本において、近い将来、例えば認知症者などの要支援者が激増し、その一方で、少子化によりこれら要支援者を支えるべき支援者の人口は減り始めると言われている。
【０００３】
そこで、これら要支援者の自立心を養い健康促進等を図る目的なのは勿論、支援者の負担（身体的負担や経済的負担）を軽減すべく、要支援者が自立して生活できるよう地域ぐるみで支援する施策が始まった。
【発明の概要】
【発明が解決しようとする課題】
【０００４】
しかしながら、実際、要支援者が自立して積極的に外に出て活動を行うことを前提とした場合、要支援者にも例えば認知症とそうでない者がおり、認知症でも軽度の認知症者と重度の認知症者とがある。各々の症状に応じて支援の仕方（関わり方など）が異なるが、その違いは見た目では判断できない場合が多い。
【０００５】
よって、要支援者でない人に誤って声を掛け不愉快な思いをさせたり、逆に要支援者を見逃して必要な支援が出来ないことのないよう、支援する側が予め要支援者を明確に判別する手段が必要である。
【０００６】
本発明者は、前述した複数の被判別者の判別に着目し、種々の研究・開発を行った結果、従来にない極めて画期的な判別装置を開発した。
【課題を解決するための手段】
【０００７】
添付図面を参照して本発明の要旨を説明する。
【０００８】
複数の被判別者Ａ，Ｂ，・・・を判別するための判別装置であって、前記被判別者Ａ，Ｂ，・・・に直接的若しくは間接的に設けられ夫々大きさの異なる通電部１Ａ，１Ｂ，・・・と、前記各通電部１Ａ，１Ｂ，・・・を介して通電する電極部２Ａ，２Ｂ，・・・が設けられた敷体３と、前記電極部２Ａが通電したことを報知する報知部４Ａ，前記電極部２Ｂ，・・・が通電したことを報知する報知部４Ｂ，・・・とを有し、前記各電極部２Ａ，２Ｂ，・・・は、互いに異なる幅Ｗ１，Ｗ２，・・・で対設され且つ重ならないように設けられる一組の電極線材２ａ，２ｂ，・・・で構成され、更に、前記各一組の電極線材２ａ，２ｂ，・・・のうち、他よりも広い一の一組の電極線材の幅は、この一の一組の電極線材よりも幅の狭い他の一組の電極線材を介して通電する通電部では通電しない幅に設定されていることを特徴とする判別装置に係るものである。
【０００９】
また、請求項１記載の判別装置において、前記通電部１Ａ，１Ｂ，・・・は、前記被判別者Ａ，Ｂ，・・・が履く靴の底10ａ，10ｂ，・・・に設けられるものであることを特徴とする判別装置に係るものである。
【００１０】
また、第一被判別者Ａと第二被判別者Ｂを判別する判別装置であって、前記第一被判別者Ａに直接的若しくは間接的に設けられる大型の第一通電部１Ａと、前記第二被判別者Ｂに直接的若しくは間接的に設けられる小型の第二通電部１Ｂと、前記大型の第一通電部１Ａを介して通電する第一電極部２Ａ及び前記小型の第二通電部１Ｂを介して通電する第二電極部２Ｂが設けられた敷体３と、前記第一電極部２Ａが通電したことを報知する第一報知部４Ａ及び前記第二電極部２Ｂが通電したことを報知する第二報知部４Ｂとを有し、前記第一電極部２Ａは、前記敷体３表面に幅Ｗ１で対設される一組の第一電極線材２ａが複数組並設されることで構成され、また、前記第二電極部２Ｂは、前記敷体３表面に前記一組の第一電極線材２ａの幅Ｗ１より狭い幅Ｗ２で対設される一組の第二電極線材２ｂが前記一組の第一電極線材２ａと重ならないように複数組並設されることで構成され、更に、前記一組の第一電極線材２ａの幅Ｗ１は、前記小型の第二通電部１Ｂを介して通電しない幅に設定されていることを特徴とする判別装置に係るものである。
【００１１】
また、請求項３記載の判別装置において、前記大型の第一通電部１Ａ及び前記小型の第二通電部１Ｂは、前記第一被判別者Ａ及び前記第二被判別者Ｂが履く靴の底10ａ，10ｂに設けられるものであることを特徴とする判別装置に係るものである。
【００１２】
また、請求項３，４いずれか１項に記載の判別装置において、前記第一電極線材２ａ及び前記第二電極線材２ｂは、前記敷体３の表面に等間隔で配設されていることを特徴とする判別装置に係るものである。
【００１３】
また、請求項３〜５いずれか１項に記載の判別装置において、前記第一報知部４Ａ及び前記第二報知部４Ｂは、前記第一電極部２Ａ及び前記第二電極部２Ｂが通電した際、点灯するように構成されていることを特徴とする判別装置に係るものである。
【００１４】
また、請求項６記載の判別装置において、前記第一報知部４Ａ及び前記第二報知部４Ｂは、前記第一電極部２Ａ及び前記第二電極部２Ｂ夫々に対する前記大型の第一通電部１Ａ及び前記小型の第二通電部１Ｂを介しての通電が解除された後も点灯が維持されるように構成されていることを特徴とする判別装置に係るものである。
【００１５】
また、請求項３〜７いずれか１項に記載の判別装置において、前記大型の第一通電部１Ａ及び前記小型の第二通電部１Ｂは、円形板状体若しくは円形環状体であることを特徴とする判別装置に係るものである。
【発明の効果】
【００１６】
本発明は上述のように構成したから、複数の被判別者を簡易且つ確実に判別することができ、しかも、簡易構造故にコスト安にして量産性に優れたものとなるなど、従来にない極めて画期的な判別装置となる。
【図面の簡単な説明】
【００１７】
【図１】本実施例の要部の説明図である。
【図２】本実施例の要部の説明図である。
【図３】本実施例の要部の部分拡大図である。
【図４】本実施例の要部の動作説明図である。
【図５】本実施例の要部の動作説明図である。
【図６】本実施例の要部の動作説明図である。
【図７】本実施例の要部の動作説明図である。
【図８】本実施例の要部の部分拡大図である。
【発明を実施するための形態】
【００１８】
好適と考える本発明の実施形態を、図面に基づいて本発明の作用を示して簡単に説明する。
【００１９】
第一被判別者Ａと第二被判別者Ｂの二人の判別の場合について説明すると、例えば予め第一被判別者Ａ及び第二被判別者Ｂに直接的若しくは間接的に大型の第一通電部１Ａ及び小型の第二通電部１Ｂを設けておく。
【００２０】
この第一被判別者Ａ若しくは第二被判別者Ｂが敷体３を踏んだ場合、第一報知部４Ａと第二報知部４Ｂとにより、その人がどちらの被判別者であるかを判別することができる。
【００２１】
具体的には、第一被判別者Ａが敷体３を踏んで、大型の第一通電部１Ａを介して一組の第一電極線材２ａから成る第一電極部２Ａが通電した場合、第一報知部４Ａが作動することで被判別者Ａであることが報知される。この際、第一通電部１Ａは大型の為、この大型の第一通電部１Ａを介して一組の第二電極線材２ｂから成る第二電極部２Ｂも通電する為、第二報知部４Ｂも作動する。
【００２２】
一方、第二被判別者Ｂが敷体３を踏んで、小型の第二通電部１Ｂを介して一組の第二電極線材２ｂから成る第二電極部２Ｂが通電した場合、第二報知部４Ｂが作動することで被判別者Ｂであることが報知される。この際、小型の第二通電部１Ｂを介して第一電極部２Ａは通電しない為、第一報知部４Ａは作動しない。
【００２３】
即ち、第一電極部２Ａを構成する一組の第一電極線材２ａの幅Ｗ１は、小型の第二通電部１Ｂによっては通電しない幅の為、よって、第二被判別者Ｂが敷体３を踏んだ場合、第二報知部４Ｂのみが作動し、第一報知部４Ａは作動しない。
【００２４】
よって、第一被判別者Ａと第二被判別者Ｂとを判別することができる。
【００２５】
また、本発明は、大型の第一通電部１Ａ及び小型の第二通電部１Ｂのいずれも設けていない人は、第一報知部４Ａ及び第二報知部４Ｂのいずれも作動しない為、敷体３を踏んだ者が判別対象外であることも分かる。
【実施例】
【００２６】
本発明の具体的な実施例について図面に基づいて説明する。
【００２７】
本実施例は、複数の被判別者Ａ，Ｂ，・・・を判別するための判別装置であって、被判別者Ａ，Ｂ，・・・に直接的若しくは間接的に設けられ夫々大きさの異なる通電部１Ａ，１Ｂ，・・・と、各通電部１Ａ，１Ｂ，・・・を介して通電する電極部２Ａ，２Ｂ，・・・が設けられた敷体３と、電極部２Ａが通電したことを報知する報知部４Ａ，電極部２Ｂが通電したことを報知する報知部４Ｂ，・・・とを有するものである。
【００２８】
具体的には、本実施例では、二人の第一被判別者Ａと第二被判別者Ｂを判別する判別装置であって、第一被判別者Ａに直接的若しくは間接的に設けられる大型の第一通電部１Ａと、第二被判別者Ｂに直接的若しくは間接的に設けられる小型の第二通電部１Ｂと、大型の第一通電部１Ａを介して通電する第一電極部２Ａ及び小型の第二通電部１Ｂを介して通電する第二電極部２Ｂが設けられた敷体３と、第一電極部２Ａが通電したことを報知する第一報知部４Ａ及び第二電極部２Ｂが通電したことを報知する第二報知部４Ｂとを有するものである。尚、判別する対象としては、例えば第一被判別者Ａを重度の認知症者とし、第二被判別者Ｂを軽度の認知症者としたりするなど、その他にも判別対象者は適宜選択し得るものである。
【００２９】
以下、本実施例に係る構成各部について詳細な説明をする。
【００３０】
大型の第一通電部１Ａ及び小型の第二通電部１Ｂは、図１に図示したように適宜な導電性を有する金属製部材で形成した円形板状体であり、本実施例では大型の第一通電部１Ａを第一被判別者Ａ用として、小型の第二通電部１Ｂを第二被判別者Ｂ用として設けている。
【００３１】
この大型の第一通電部１Ａ及び小型の第二通電部１Ｂは、所定径を有して互いに外径が大小異なるものであり、後述する第一電極部２Ａ及び第二電極部２Ｂに対応した大きさ（面積・領域）に設定されている。尚、本実施例では、大型の第一通電部１Ａ及び小型の第二通電部１Ｂを円形板状体としたが、外形状が円形状であれば環状体でも良く、この場合、より一層材料を減らすことにより製造コストを低減することができる。
【００３２】
また、この大型の第一通電部１Ａ及び小型の第二通電部１Ｂは、裏面に貼着部が設けられ、この貼着部を介して第一被判別者Ａ及び第二被判別者Ｂが履く靴の底10ａ，10ｂに設けられている。尚、靴の底10ａ，10ｂへ設ける手段としては貼着に限らず、専用の靴として靴底へ埋め込んだ構造としても良く、また、本実施例のように靴の底10ａ，10ｂや靴下などに貼って間接的に設けたり、第一被判別者Ａ及び第二被判別者Ｂの足の裏に直接貼って使用しても良い。
【００３３】
敷体３は、図２に図示したように適宜な合成樹脂製の部材で形成した方形板状体であり、表面には第一電極部２Ａ及び第二電極部２Ｂが設けられている。
【００３４】
第一電極部２Ａは、敷体３表面に幅Ｗ１で対設される一組の第一電極線材２ａが複数組並設されることで構成され、また、第二電極部２Ｂは、敷体３表面に一組の第一電極線材２ａの幅Ｗ１より狭い幅Ｗ２で対設される一組の第二電極線材２ｂが一組の第一電極線材２ａと重ならないように複数組並設されることで構成され、更に、一組の第一電極線材２ａの幅Ｗ１は、小型の第二通電部１Ｂを介して通電しない幅に設定されている。
【００３５】
具体的には、第一電極部２Ａは、敷体３の表面に一組の第一電極線材２ａを敷体３の長さ方向に等幅且つ互いに重ならない状態で並設され、この一組の第一電極線材２ａのうち、一の第一電極線材２ａは敷体３の裏面長さ方向に設けられる一の第一電線材２ａ’に接続され、他の第一電極線材２ａは敷体３の裏面長さ方向に設けられる他の第一電線材２ａ’に接続されている。
【００３６】
この第一電極部２Ａを構成する一組の第一電線材２ａ’は、図２，３に図示したように後述する第一報知部４Ａの電子構造部（一の報知部４Ａの電子回路）から延設されたものであり、大型の第一通電部１Ａが一組の第一電極線材２ａに架設（同時接触）されることで第一電極部２Ａは通電する。
【００３７】
また、第二電極部２Ｂは、敷体３の表面に一組の第二電極線材２ｂを敷体３の長さ方向に等間隔且つ重ならない状態で並設され、この一組の第二電極線材２ｂのうち、一の第二電極線材２ｂは敷体３の裏面長さ方向に設けられる一の第二電線材２ｂ’に接続され、他の第二電極線材２ｂは敷体３の裏面長さ方向に設けられる他の第二電線材２ｂ’に接続されている。
【００３８】
この第二電極部２Ｂを構成する一組の第二電線材２ｂ’は、図２，３に図示したように後述する第二報知部４Ｂの電子構造部（他の報知部４Ｂの電子回路）から延設されたものであり、小型の第二通電部１Ｂが一組の第二電極線材２ｂに架設（同時接触）されることで第二電極部２Ｂは通電する。
【００３９】
また、本実施例では、第一電極部２Ａを構成する一組の第一電極線材２ａの幅Ｗ１は、小型の第二通電部１Ｂを介して通電しない幅に設定され、また、第一電極線材２ａ及び第二電極線材２ｂは、敷体３の表面に等間隔で配設されている。
【００４０】
第一報知部４Ａ及び第二報知部４Ｂは、図２に図示したように内部に２つの電子回路及びバッテリーとから成る電子構造部を備えたケース体７の表面に、第一発光部８ａ及び第二発光部８ｂ及び第一レバー部９ａ及び第二レバー部９ｂを設けて構成されている。
【００４１】
具体的には、第一報知部４Ａ（第一発光部８ａ及び第一レバー部９ａ）が設けられる一の電子回路からは一組の第一電線材２ａ’が延設され、この一組の第一電線材２ａ’が接続される一組の第一電極線材２ａ間に大型の第一通電部１Ａを架設して通電することで、第一発光部８ａが点灯し且つ第一可動レバー部９ａが擺動するように構成されている。尚、本実施例では、断電後も第一発光部８ａは点灯を維持し、手動で第一可動レバー部９ａを元の位置に戻すことで消灯するように電子回路が構成されている。
【００４２】
第二報知部４Ｂ（第二発光部８ｂ及び第二レバー部９ｂ）が設けられる他の電子回路からは一組の第二電線材２ｂ’が延設され、この一組の第二電線材２ｂ’が接続される一組の第二電極線材２ｂ間に小型の第二通電部１Ｂを架設して通電することで、第二発光部８ｂが点灯し且つ第二可動レバー部９ｂが擺動するように構成されている。尚、本実施例では、断電後も第二発光部８ｂは点灯を維持し、手動で第二可動レバー部９ｂを元の位置に戻すことで消灯するように電子回路が構成されている。
【００４３】
また、本実施例では、第二電極部２Ｂの一組の第二電極線材２ｂ，２ｂに大型の第一通電部１Ａが架設した場合にも通電し、第二報知部４Ｂにおける第二発光部８ｂも点灯し且つ第二可動レバー部９ｂも擺動する。
【００４４】
また、大型の第一通電部１Ａ及び小型の第二通電部１Ｂの大きさや、第一電極部２Ａ（一組の第一電極部材２ａ）及び第二電極部２Ｂ（一組の第二電極部材２ｂ）の幅の設定によっては、図５に図示したように第一被判別者Ａ（大型の第一通電部１Ａ）が敷体３を踏んでも、第一報知部４Ａが作動せず第二報知部４Ｂのみが作動することがある。図は省略するが、同様に第二被判別者Ｂの場合には何も作動しないことがある。
【００４５】
これは、各電極部を互いに異なる幅で重ならないように並設される電極線材で構成する構造上、コスト削減（材料の削減）を目的として間隔を可及的に広く設定すると、踏んだ場所によっては、第一電極部２Ａ（一組の第一電極線材２ａ）に対して大型の第一通電部１Ａが架設状態とならない可能性及び第二電極部２Ｂ（第二電極線材２ｂ，２ｂ）に対して小型の第二通電部１Ｂが架設状態とならない可能性がある。しかし本実施例は、敷体３上において歩数を重ねるごとに架設状態となる確率が高まる特徴を有しており、各通電部の直径と各電極線材の間隔を適正に設定するならば、敷体３上を数歩歩いた時点でほぼ確実に架設状態となるため、実施上の不都合はない。また、大型の第一通電部１Ａを両靴に設けるならば、同じ確率を維持しながら各電極線材の間隔をさらに広げることが出来るので、一層のコスト軽減が可能となる。もし確実に架設状態にするならば、一組の第一電極線材２ａの幅Ｗ１を第一通電部１が同時に３本以上接触し得る間隔に設定すればよいが、大型の第一通電部１Ａの直径を靴幅以下に収めるために各電極線材の間隔を狭める必要が生じ、その結果コスト増を招く。
【００４６】
また、本実施例では、判別対象は２人として構成したが、図８に図示したように通電部１Ａ，１Ｂ，１Ｃの大きさと電極部２Ａ，２Ｂ，２Ｃ（一組の電極線材２ａ，２ｂ，２ｃ）の幅Ｗ１，Ｗ２，Ｗ３を適宜変更することで判別対象を３人以上（被判別者Ａ，Ｂ，・・・）となるように構成しても良い。
【００４７】
符号７は報知部４を設置するカウンター、８は報知部４をカウンター７の正面側から見えないように隠蔽する隠蔽板である。
【００４８】
以上の構成から成る本実施例の判別装置の使用状態について説明する。
【００４９】
第一被判別者Ａと第二被判別者Ｂの二人の判別の場合について説明すると、例えば予め第一被判別者Ａ及び第二被判別者Ｂに直接的若しくは間接的に大型の第一通電部１Ａ及び小型の第二通電部１Ｂを設けておく。
【００５０】
第一被判別者Ａ若しくは第二被判別者Ｂが敷体３を踏んだ場合、第一報知部４Ａと第二報知部４Ｂとにより、その人がどちらの被判別者であるかを判別することができる。
【００５１】
具体的には、第一被判別者Ａが敷体３を踏んで、大型の第一通電部１Ａを介して一組の第一電極線材２ａから成る第一電極部２Ａが通電した場合、第一報知部４Ａが作動することで被判別者Ａであることが報知される（図４参照）。この際、第一通電部１Ａは大型の為、この大型の第一通電部１Ａを介して一組の第二電極線材２ｂから成る第二電極部２Ｂも通電する為、第二報知部４Ｂも作動する。
【００５２】
一方、第二被判別者Ｂが敷体３を踏んで、小型の第二通電部１Ｂを介して一組の第二電極線材２ｂから成る第二電極部２Ｂが通電した場合、第二報知部４Ｂが作動することで被判別者Ｂであることが報知される（図６，７参照）。この際、小型の第二通電部１Ｂを介して第一電極部２Ａは通電しない為、第一報知部４Ａは作動しない。
【００５３】
即ち、第一電極部２Ａを構成する一組の第一電極線材２ａの幅Ｗ１は、小型の第二通電部１Ｂによっては通電しない幅の為、よって、第二被判別者Ｂが敷体３を踏んだ場合、第二報知部４Ｂのみが作動し、第一報知部４Ａは作動しない。
【００５４】
以上のように、第一被判別者Ａと第二被判別者Ｂとを判別することができる。
【００５５】
また、本実施例は、大型の第一通電部１Ａ及び小型の第二通電部１Ｂのいずれも設けていない人は、第一報知部４Ａ及び第二報知部４Ｂのいずれも作動しない為、敷体３を踏んだ者が判別対象外であることも分かる。
【００５６】
よって、本実施例によれば、複数の第一被判別者Ａと第二被判別者Ｂを簡易且つ確実に判別することができ、しかも、簡易構造故にコスト安にして量産性に優れ、広く普及することが期待される。
【００５７】
また、本実施例は、第一電極線材２ａ及び第二電極線材２ｂは、敷体３の表面に多数並設されているから、それだけ精度の高い判別が可能となる。
【００５８】
また、本実施例は、第一報知部４Ａ及び前記第二報知部４Ｂは、前記第一電極部２Ａ及び前記第二電極部２Ｂが通電した際、点灯するように構成されているから、良好に判別し得ることになる。
【００５９】
また、本実施例は、大型の第一通電部１Ａ及び小型の第二通電部１Ｂは、外形が円形状の板状体若しくは環状体であるから、どの方向で踏んでも第一電極部２Ａ及び第二電極部２Ｂに対して架設状態となり易い効率の良い構造となる。
【００６０】
また、本実施例は、大型の第一通電部１Ａを両靴に設けることで、第一電極部２Ａの間隔Ｗ１及び第二電極部２Ｂの間隔Ｗ２を広げることが出来る。その結果、面積あたりの使用材料を減らしても良好な確率で作動させることができるため、一層のコスト軽減が可能となる。
【００６１】
尚、本発明は、本実施例に限られるものではなく、各構成要件の具体的構成は適宜設計し得るものである。
【符号の説明】
【００６２】
Ａ  被判別者・第一被判別者
Ｂ  被判別者・第二被判別者
Ｗ１  幅
Ｗ２  幅
１Ａ  通電部・第一通電部
１Ｂ  通電部・第二通電部
２Ａ  電極部・第一電極部
２ａ  電極線材・第一電極線材
２Ｂ  電極部・第二電極部
２ｂ  電極線材・第二電極線材
３  敷体
４Ａ  報知部・第一報知部
４Ｂ  報知部・第二報知部
10ａ  靴の底
10ｂ  靴の底
【図１】
2018106314.tif 000003
【図２】
2018106314.tif 000004
【図３】
2018106314.tif 000005
【図４】
2018106314.tif 000006
【図５】
2018106314.tif 000007
【図６】
2018106314.tif 000008
【図７】
2018106314.tif 000009
【図８】
2018106314.tif 000010